(57)【要約】【課題】バックフォーカスがより短くなる位置に光変調素子を配置できる画像投射装置を提供する。【解決手段】  画像投射装置は、光変調素子１０４Ｇを少なくとも含む光変調ユニット１１１２Ｇと、該光変調素子からの光を投射する投射レンズ１０５とを有する。投射レンズの周壁部のうち光変調ユニットに面した領域に、開口部２０６ａを形成する。さらに、該周壁部の内側に配置された鏡筒２０５の外周面における開口部２０６ａと同位相の領域を、該外周面における周方向での他の領域に比べて径方向内方に形成する。【選択図】図３
2007212732.tif 000002
【特許請求の範囲】
【請求項１】
光変調素子を少なくとも含む光変調ユニットと、
前記光変調素子からの光を投射する投射レンズとを有し、
前記投射レンズの周壁部のうち前記光変調ユニットに面した領域に開口部が形成されていることを特徴とする画像投射装置。
【請求項２】
前記投射レンズは、第１鏡筒と、該第１鏡筒の内側に配置された第２鏡筒とを有し、
前記第１鏡筒の周壁部のうち前記光変調ユニットに面した領域に前記開口部が形成されており、
前記第２鏡筒の外周面における前記開口部と同位相の領域は、該外周面における周方向での他の領域に比べて径方向内方に形成されていることを特徴とする請求項１に記載の画像投射装置。
【請求項３】
前記第２鏡筒の外周面は、前記開口部と同位相の領域が平面であるＤカット形状を有することを特徴とする請求項２に記載の画像投射装置。
【請求項４】
前記光変調ユニットは、前記光変調素子を冷却するための放熱板を含み、
前記開口部は、前記周壁部のうち前記放熱板に面した領域に形成されていることを特徴とする請求項１から３のいずれか１つに記載の画像投射装置。
【請求項５】
前記第２鏡筒は、前記第１鏡筒に対して該投射レンズの光軸方向に移動することを特徴とする請求項２又は３に記載の画像投射装置。
【請求項６】
前記開口部に面した光変調ユニットを含む複数の光変調ユニットと、
光源からの光を色分解して前記複数の光変調ユニットの光変調素子に導き、該複数の光変調素子からの光を色合成して前記投射レンズに導く光学系とを有することを特徴とする請求項１から５のいずれか１つに記載の画像投射装置。
【請求項７】
請求項１から６のいずれか１つに記載の画像投射装置と、
該画像投射装置に画像情報を供給する画像供給装置とを有することを特徴とする画像表示システム。
【請求項８】
光変調素子を少なくとも含む光変調ユニットを備えた画像投射装置に用いられる投射レンズであって、
前記投射レンズの周壁部のうち、前記画像投射装置に組み込まれたときに前記光変調ユニットに面する領域に開口部が形成されていることを特徴とする投射レンズ。
【請求項９】
前記投射レンズは、第１鏡筒と、該第１鏡筒の内側に配置された第２鏡筒とを有し、
前記第１鏡筒の周壁部のうち、前記画像投射装置に組み込まれたときに前記光変調ユニットに面する領域に前記開口部が形成されており、
前記第２鏡筒の外周面における前記開口部と同位相の領域は、該外周面における周方向での他の領域に比べて径方向内方に形成されていることを特徴とする請求項８に記載の投射レンズ。
【請求項１０】
前記第２鏡筒の外周面は、前記開口部と同位相の領域が平面であるＤカット形状を有することを特徴とする請求項９に記載の投射レンズ。
【請求項１１】
前記開口部は、前記周壁部のうち、前記光変調ユニットに含まれる放熱板に面する領域に形成されていることを特徴とする請求項８から１０のいずれか１つに記載の投射レンズ。
【請求項１２】
前記第２鏡筒は、前記第１鏡筒に対して該投射レンズの光軸方向に移動することを特徴とする請求項８から１１のいずれか１つに記載の投射レンズ。
【発明の詳細な説明】
【技術分野】
【０００１】
本発明は、液晶プロジェクタ等の画像投射装置およびこれに用いられる投射レンズに関する。
【背景技術】
【０００２】
透過型、反射型液晶表示素子やＤＭＤ（デジタルマイクロミラーデバイス）等の光変調素子を用いて形成された画像を、投射レンズを介してスクリーンに拡大投射する画像表示装置として、特許文献１，２に開示されたものがある。
【０００３】
このうち、特許文献２に開示された反射型液晶表示素子（反射型液晶パネル）を用いた画像投射装置の構成について簡単に説明する（特許文献２の図１参照）。光源からの光は、ダイクロイックミラーによって色分解される。ダイクロイックミラーを透過した第１の色光（例えば、緑光）は、第１の偏光ビームスプリッタで反射されて第１の反射型液晶パネルを照明する。また、ダイクロイックミラーで反射した第２および第３の色光（例えば、赤光および青光）は、第２の偏光ビームスプリッタに入射する。第２の偏光ビームスプリッタで反射した第２の色光は、第２の反射型液晶パネルを照明する。さらに、第２の偏光ビームスプリッタを透過した第３の色光は、第３の反射型液晶パネルを照明する。
【０００４】
各反射型液晶パネルで反射し、かつ画像変調された光（画像光）は、再び第１又は第２の偏光ビームスプリッタを介して第３の偏光ビームスプリッタに入射し、ここで色合成されて投射レンズによってスクリーンに拡大投射される。
【０００５】
ここで、反射型液晶パネルのうち１つは、投射レンズのうち画像光が入射する側の鏡筒（以下、後部鏡筒という）の外周面に隣接する位置に配置されることがある。
【０００６】
このように反射型液晶パネルを用いた画像投射装置では、液晶パネルから投射レンズまでに偏光ビームスプリッタのように大型の光学素子を複数使用するため、透過型液晶パネルを用いる場合に比べて、長いバックフォーカスを必要とするのが一般的である。このため、反射型液晶パネルを使用した画像投射装置は、透過型液晶パネルを用いた場合に比べて、小型化がより困難である。
【特許文献１】特開２００１−１５４２６８号公報（図１等）
【特許文献２】特開２００３−２５５３３０号公報（図１等）
【発明の開示】
【発明が解決しようとする課題】
【０００７】
しかしながら、最近では、反射型液晶パネルを用いた画像投射装置においても小型化が強く求められており、このためには、投射レンズからのバックフォーカスを短くすることが必要である。バックフォーカスを短くするためには、前述したように、投射レンズの後部鏡筒に隣接して配置される反射型液晶パネルを該後部鏡筒により接近させる必要がある。
【０００８】
また、画像投射装置の組み立て調整時においては、液晶パネルの周囲に、偏光ビームスプリッタ等の光学素子に対する液晶パネルの位相（回転位置）を調整するための工具を挿入するスペースを確保する必要がある場合もある。しかも、反射型液晶パネルの背面には、該液晶パネルよりも大きなサイズを有する放熱板等の付属部品が一体的に取り付けられる。
【０００９】
このように、投射レンズの後部鏡筒に隣接して配置される反射型液晶パネルを該後部鏡筒により接近させる必要がある場合、また後群鏡筒の外周面と付属部品を含めた液晶パネルのユニットとの間に工具を挿入するスペースを確保する必要がある場合に、これらのさらなる近接配置、つまりは画像投射装置のより小型化が困難となっている。
本発明は、バックフォーカスがより短くなる位置に光変調素子を配置できるようにした画像投射装置および投射レンズを提供することを目的の１つとしている。
【課題を解決するための手段】
【００１０】
本発明の一側面としての画像投射装置は、光変調素子を少なくとも含む光変調ユニットと、該光変調素子からの光を投射する投射レンズとを有する。そして、投射レンズの周壁部のうち光変調ユニットに面した領域に開口部が形成されていることを特徴とする。
【００１１】
なお、上記画像投射装置と、これに画像情報を供給する画像供給装置とを有する画像表示システムも本発明の他の側面を構成する。
【００１２】
また、本発明の他の側面としての投射レンズは、該投射レンズの周壁部のうち、画像投射装置に組み込まれたときに光変調ユニットに面する領域に開口部が形成されていることを特徴とする。
【発明の効果】
【００１３】
本発明によれば、光変調ユニットと投射レンズを近接させて配置することができる。また、光変調ユニットを投射レンズの周壁部に近接させても、開口部によって光変調ユニット（光変調素子）の調整用工具を挿入するに必要なスペースを確保することもできる。したがって、投射レンズのバックフォーカスを従来よりも短くすることができ、これによって、画像表示装置のさらなる小型化を図ることができる。
【発明を実施するための最良の形態】
【００１４】
以下、本発明の実施例について図面を参照しながら説明する。
【実施例１】
【００１５】
図１には、本発明の実施例である投射レンズを有する液晶プロジェクタ（画像投射装置）の構成を示している。図1は、液晶プロジェクタのうち照明光学系１０１およびダイクロイックミラー１０２以外の部分を、液晶パネルの短辺側から見たときの構成（側面図）を示している。照明光学系１０１およびダイクロイックミラー１０２は、実際には、図１の紙面に垂直な水平面内に配置されている。
【００１６】
また、投射レンズ１０５の光軸３０１は、後述する第３の偏光ビームスプリッタ１０３ｃ、すなわち色分解合成光学系の射出光軸３０２に対して上方にシフトしている。これは、プロジェクタはテーブル上に設置されて使用される場合が多いため、投射光の下部がテーブルによってけられないようにするためである。また、使用用途として、上方に投射することが多いためでもある。なお、図示しないが、該プロジェクタを上方から見たときは、投射レンズ１０５の光軸３０１と色分解合成光学系の射出光軸３０２とは一致している。
【００１７】
照明光学系１０１は、光源ランプや、該光源ランプからの照明光を複数の光束に分割した後、液晶パネル上で重ね合わせるための操作を行うレンズ素子や、照明光を所定の偏光方向を有する偏光光とするための偏光変換素子を含む。また、光路を折り曲げるミラーも照明光学系１０１内に配置されている。
【００１８】
色分解合成光学系には、ダイクロイックミラー１０２および第１〜第３の偏光ビームスプリッタ１０３ａ〜１０３ｃが含まれている。
【００１９】
照明光学系１０１から射出された照明光は、ダイクロイックミラー１０２によって色分解される。ダイクロイックミラー１０２で反射した緑（波長５０５〜５８０ｎｍ）の光は、第１の偏光ビームスプリッタ１０３ａを透過して、光変調素子である第１の反射型液晶パネル１０４Ｇを照明する。また、ダイクロイックミラー１０２を透過した赤（波長５９０〜６５０ｎｍ）の光と青（波長４３０〜４９５ｎｍ）の光は、第２の偏光ビームスプリッタ１０３ｂに入射する。
【００２０】
第２の偏光ビームスプリッタ１０３ｂで反射した赤光は、第２の反射型液晶パネル１０４Ｒを照明する。また、第２の偏光ビームスプリッタ１０３ｂを透過した青光は、第３の反射型液晶パネル１０４Ｂを照明する。
【００２１】
該プロジェクタの液晶駆動回路１２０には、パーソナルコンピュータ、ＤＶＤプレーヤ、テレビチューナ等の画像供給装置１３０が接続されている。液晶駆動回路１２０は、画像供給装置１３０から入力された画像（映像）情報に基づいて反射型液晶パネル１０４Ｒ，１０４Ｇ，１０４Ｂを駆動し、これらに各色用の原画を形成させる。これにより、各反射型液晶パネルに入射した光は、反射されるとともに原画に応じて変調（画像変調）される。
【００２２】
第１の反射型液晶パネル１０４Ｇで反射および画像変調された緑光は、第１の偏光ビームスプリッタ１０３ａに再び入射し、該第１の偏光ビームスプリッタ１０３ａで反射されて第３の偏光ビームスプリッタ１０３ｃに入射する。そして、第３の偏光ビームスプリッタ１０３ｃで反射されて投射レンズ１０５に入射する。
【００２３】
一方、第２の反射型液晶パネル１０４Ｒで反射および画像変調された赤光は、第２の偏光ビームスプリッタ１０３ｂに再び入射し、該第２の偏光ビームスプリッタ１０３ｂを透過して第３の偏光ビームスプリッタ１０３ｃに入射する。そして、第３の偏光ビームスプリッタ１０３ｃを透過して投射レンズ１０５に入射する。
【００２４】
さらに、第３の反射型液晶パネル１０４Ｂで反射および画像変調された青光は、第２の偏光ビームスプリッタ１０３ｂに再び入射し、該第２の偏光ビームスプリッタ１０３ｂで反射されて第３の偏光ビームスプリッタ１０３ｃに入射する。そして、第３の偏光ビームスプリッタ１０３ｃを透過して投射レンズ１０５に入射する。
【００２５】
第３の偏光ビームスプリッタ１０３ｃによって色合成された３色の画像光（カラー画像）は、投射レンズ１０５によって不図示のスクリーン等の被投射面に拡大投射される。
【００２６】
なお、ダイクロイックミラー１０２、偏光ビームスプリッタ１０３ａ〜１０３ｃおよび反射型液晶パネル１０４Ｇ，１０４Ｒ，１０４Ｂの間には、偏光板、１／４波長板、色選択性偏光変換素子等の光学素子が配置されている。但し、ここでの詳しい説明は省略する。
【００２７】
また、投射レンズ１０５の鏡筒内には、入射した光束のうち画像形成に直接寄与しない光束成分を除去するための構造が設けられている。
【００２８】
本実施例のプロジェクタにおいて、ダイクロイックミラー１０２や偏光ビームスプリッタ１０３ａ〜１０３ｃ等で構成される色分解合成光学系は、反射によって光の進行方向を折り曲げる機能を有する。しかも、該反射面に対する入射光と反射光を含む平面に対して、反射型液晶パネル１０４Ｇ，１０４Ｒ，１０４Ｂがその短辺方向が平行になるように配置されている。さらに、色分解合成光学系において、第１の反射型液晶パネル１０４Ｇからの光の反射方向が、投射レンズ１０５による画像光の投射方向とは逆方向である。
【００２９】
次に、投射レンズ１０５のより詳しい構成について、図２から図４を用いて説明する。図２は、投射レンズ１０５の内部構造を示す図であり、図１と同じ方向から投射レンズ１０５を見たときの断面を示す。また、図３は、図２中の点線で囲んだ領域Ａを拡大して示す図である。該領域Ａは、投射レンズ１０５における後述する後部鏡筒の周辺を示している。さらに、図４は、該領域Ａを光軸方向後方から見たときの後部鏡筒の断面図である。
【００３０】
図２において、２０１はフォーカスレンズユニットＩを保持するフォーカス鏡筒である。該フォーカス鏡筒２０１の外周には雄ヘリコイドネジが形成されており、固定筒２０７の内周に形成された雌ヘリコイドネジと係合している。フォーカス鏡筒２０１には、フォーカス環２０９が連結されている。このフォーカス環２０９を手動または不図示のアクチュエータによって光軸周りに回動させることにより、フォーカス鏡筒２０１は光軸方向に移動する。これにより、フォーカシングを行うことができる。
【００３１】
２０２，２０３，２０４，２０５はそれぞれ、変倍用のレンズユニットＩＩ〜Ｖを保持する第１〜第４ズーム鏡筒である。これらのズーム鏡筒２０２，２０３，２０４，２０５には、カムフォロア２０２ａ，２０３ａ，２０４ａ，２０５ａが取り付けられている。該カムフォロア２０２ａ，２０３ａ，２０４ａ，２０５ａはそれぞれ、カム環２０８に形成されたカム溝と固定筒２０７に形成された光軸方向に延びる直進溝（いずれも符号は付さない）とに係合している。カム環２０８に連結されたズーム環２１０を手動または不図示のアクチュエータによって光軸周りに回動させると、カム環２０８も回動し、各カム溝とこれに係合するカムフォロアとの作用によって各ズーム鏡筒が光軸方向に移動する。これにより、変倍を行うことができる。
【００３２】
２０６は後部鏡筒（請求項にいう第１鏡筒）であり、リレー系レンズＶＩを保持している。後部鏡筒２０６は、固定筒２０７にスラスト方向から不図示のビス（図示せず）により固定されている。
【００３３】
図３および図４に示すように、後部鏡筒２０６の周壁部の下側には、第１の反射型液晶パネル１０４Ｇとその背面に一体的に取り付けられた付属部材である放熱板１１１とを含む第１の液晶パネルユニット（光変調ユニット）１１２Ｇが配置されている。そして、後部鏡筒２０６の周壁部のうち、第１の液晶パネルユニット１１２Ｇを構成する放熱板１１１の上面に面した領域、言い換えれば第１の液晶パネルユニット１１２Ｇと同位相の領域には、開口部２０６ａが形成されている。
【００３４】
なお、第２および第３の反射型液晶パネル１０４Ｒ，１０４Bにも放熱板１１１が取り付けられており、第２および第３の液晶パネルユニット１１２Ｒ，１１２Ｂが構成されている。
【００３５】
前述した第４ズーム鏡筒（請求項にいう第２鏡筒）２０５の外周面における開口部２０６ａと同位相の下面領域、言い換えれば、図示のズーム状態で開口部２０６ａに面する領域は、該外周面における周方向での他の領域に比べて径方向内方に形成されている。具体的には、図４に示すように、第４ズーム鏡筒２０５の外周面は、開口部２０６ａと同位相の領域２０５ｂが平面であり、他の領域２０５ｃが円筒形状である、いわゆるＤカット形状に形成されている。図４に示す断面において、第４ズーム鏡筒２０５の中心（レンズユニットＶの光軸位置）から平面部２０５ｂまでの寸法Ｒ２は、円筒部２０５ｃの外周までの寸法（半径）Ｒ１よりも小さい。
【００３６】
なお、「開口部２０６ａと同位相」とは、完全に位相範囲が一致していてもよいし、図４に示すように、完全に一致していなくてもよい。
【００３７】
また、図示はしないが、後部鏡筒２０６の開口部２０６ａと、第４ズーム鏡筒２０５の平面部２０５ｂは、鏡筒周方向において１２０°毎に設けられている。このため、第４ズーム鏡筒２０５と後部鏡筒２０６は、１２０°ごとの３つの回転位置で投射レンズ１０５内に装着することができる。
【００３８】
このように本実施例では、後部鏡筒２０６の周壁部における第１の液晶パネルユニット１１２に面する領域に周方向に延びる開口部２０６ａを形成し、さらに第４ズーム鏡筒２０５の外周面のうち該開口部２０６ａと同位相の領域に平面部２０５ｂを設けている。これにより、図中にＢで示すように、第１の液晶パネルユニット１１２Ｇの第１の偏光ビームスプリッタ１０３ａに対する位相調整用の工具を挿入するためのスペースとして、後部鏡筒２０６の本来の外周面２０６ｂよりも内側の領域まで使用することができる。しかも、第４ズーム鏡筒２０５に平面部２０５ｂを設けることにより、工具スペースＢに余裕を持たせることができ、開口部２０６ａ内に挿入された工具と第４ズーム鏡筒２０５との干渉を確実に避けることができる。
【００３９】
そして、以上のようにして工具スペースを確保することにより、開口部２０６ａや平面部２０５ｂを形成していなかった従来に比べて、第１の液晶パネルユニット１１２Ｇを後部鏡筒２０６の周壁部に接近させることができる。これにより、投射レンズ１０５のバックフォーカスを従来よりも短くすることができ、投射レンズ１０５の全長や、色分解合成光学系および液晶パネルユニットを含む光学エンジンの小型化、ひいてはプロジェクタ全体の小型化を達成することができる。
【００４０】
ここで、図５には、本実施例による投射レンズの全長や光学エンジンの小型化の効果を示す。図５において、実線は、本実施例の投射レンズ１０５および光学エンジンの外形を示す。また、点線は、従来の投射レンズおよび光学エンジンの外形を示す。
【００４１】
従来のように開口部２０６ａおよび平面部２０５ｂがない場合、本実施例の場合に比べて、第１の液晶パネルユニット１１２Ｇが寸法Ｅだけ下に移動し、さらに同じ寸法だけ第２および第３の液晶パネルユニット１１２Ｒ，１１２Ｇも後方（投射レンズ１０５側とは反対側）に移動する。これは、各色の光路でのバックフォーカスが一致する必要があるからである。このように、開口部２０６ａおよび平面部２０５ｂがない場合、バックフォーカスが伸びる。そして、これにより、投射レンズ１０５の全長は、バックフォーカスの伸び量の１．５倍から２倍程度の寸法Ｆだけ伸びる。
【００４２】
このことから明らかなように、本実施例は、投射レンズの全長や光学エンジンの小型化に関して顕著な効果を有する。
【実施例２】
【００４３】
図６および図７には、本発明の実施例２である投射レンズの構成を示している。この投射レンズも液晶プロジェクタに装着されるが、本実施例では、該プロジェクタの光学エンジンの配置が実施例１と異なる。本実施例において、実施例１と共通する構成要素には、実施例１と同符号を付す。
【００４４】
図６は、本実施例の投射レンズおよび光学エンジンを、液晶パネルの短辺側から見た図である。また、図７は、本実施例の投射レンズおよび光学エンジンを、液晶パネルの長辺側から見た図である。実施例１では、色分解合成光学系を構成する光学素子が液晶パネルの短辺方向（上下方向）に積み重なるように配置されていたが、本実施例では、色分解合成光学系の光学素子が液晶パネルの長辺方向（水平方向）に並ぶように配置されている。
【００４５】
図６では、実施例１の図１および図２でも示したように、投射レンズ１０５の光軸３０１は、色分解合成光学系（第３の偏光ビームスプリッタ１０３ｃ）の射出光軸３０２に対して上方にシフトしている。また、図７では、投射レンズ１０５の光軸３０１と色分解合成光学系の射出光軸３０２とが一致している。
【００４６】
本実施例では、図７に示すように、後部鏡筒２０６の周壁部の側方に、第３の反射型液晶パネル１０４Ｂとその背面に取り付けられた放熱板１１１とを含む第３の液晶パネルユニット１１２Ｂが配置されている。そして、後部鏡筒２０６の周壁部のうち、第３の液晶パネルユニット１１２Ｂを構成する放熱板１１１の側面に面した領域、言い換えれば第３の液晶パネルユニット１１２Ｂと同位相の領域に、開口部２０６ａが形成されている。
【００４７】
さらに、第４ズーム鏡筒２０５の外周面における開口部２０６ａと同位相の領域、言い換えれば、図示のズーム状態で開口部２０６ａに面する側面領域は、該外周面における周方向での他の領域に比べて径方向内方に形成されている。具体的には、実施例１と同様に、第４ズーム鏡筒２０５の外周面は、該側面領域（２０５ｂ）が平面であるＤカット形状に形成されている。
【００４８】
本実施例においても、後部鏡筒２０６の周壁部の側面に開口部２０６ａを形成し、かつ第４ズーム鏡筒２０５の外周面を、平面部２０５ｂが開口部２０６ａと同位相であるＤカット形状に形成した。これにより、実施例１と同様に、第３の液晶パネルユニット１１２Ｂの位相調整用工具を挿入するスペースを確保しつつ、第３の液晶パネルユニット１１２Ｂを後部鏡筒２０６の周壁部に対して近接配置することができる。したがって、投射レンズ１０５の全長や、光学エンジンの小型化、ひいてはプロジェクタ全体の小型化を達成することができる。
【００４９】
以上、本発明の好ましい実施例について説明したが、本発明はこれらの実施例に限定されず、請求項に記載の範囲内で種々の変形が可能である。例えば、上記各実施例では、第４ズーム鏡筒２０５の外周面のうち開口部２０６ａと同位相の領域に平面部２０５ｂを設けた場合について説明した。しかし、該領域を必ずしも平面とする必要はなく、第１の液晶パネルユニット１１２Ｇに向かって凹形状に形成してもよい。
【００５０】
また、第４ズーム鏡筒２０５の外周面をDカット形状等とせずに円筒形状のままとし、後部鏡筒２０６に開口部２０６ａを設けるだけでもよい。この場合、実施例１で説明したような余裕のある工具スペースを設けることは難しいが、開口部２０６ａを設けない場合に比べれば、工具スペースを確保した上で、液晶パネルユニットを後部鏡筒に接近させることができる。
【００５１】
また、光変調素子として、透過型液晶パネルやデジタルマイクロミラーデバイス（ＤＭＤ）を用いてもよい。さらに、上記実施例では、液晶パネルと放熱板を含む光変調ユニットを使用する場合について説明したが、光変調ユニットは、光変調素子単独で構成されていてもよいし、放熱板以外の光変調素子に一体的に取り付けられる付属部品を含んで構成されていてもよい。これらの場合、後部鏡筒の周壁部における光変調素子に面する領域又は該付属部品に面する領域に開口部を形成すればよい。
【図面の簡単な説明】
【００５２】
【図１】本発明の実施例１である液晶プロジェクタの構成を示す側面図。
【図２】実施例１のプロジェクタの投射レンズおよび光学エンジンを示す側面断面図。
【図３】実施例１の投射レンズにおける後部鏡筒の部分拡大図。
【図４】実施例１の後部鏡筒の光軸方向視での部分断面図。
【図５】実施例１と従来のプロジェクタの大きさを比較した図。
【図６】本発明の実施例２である液晶プロジェクタを構成する投射レンズおよび光学エンジンを示す側面図。
【図７】実施例２の投射レンズおよび光学エンジンを示す平面図。
【符号の説明】
【００５３】
１０１  照明光学系
１０２  ダイクロイックミラー
１０３ａ，１０３ｂ，１０３ｃ  偏光ビームスプリッタ
１０４Ｒ，１０４Ｇ，１０４Ｂ  反射型液晶パネル
１０５  投射レンズ
２０１  フォーカス鏡筒
２０２〜２０５  第１〜第４ズーム鏡筒
２０５ａ  平面部
２０６  後部鏡筒
２０６ａ  開口部
２０７  固定筒
２０８  カム環
２０９  フォーカス環
２１０  ズーム環
Ｂ  工具スペース
【図２】
2007212732.tif 000003
【図７】
2007212732.tif 000004
【図１】
2007212732.tif 000005
【図３】
2007212732.tif 000006
【図４】
2007212732.tif 000007
【図５】
2007212732.tif 000008
【図６】
2007212732.tif 000009